(57)【要約】【課題】どの方向にガイドワイヤを回転させれば大きなトルクが得られるのかを、術者が認識可能なコイル式のガイドワイヤを提供することを目的とする。【解決手段】コイル式のガイドワイヤ１において、コアシャフト１０のコイル体２０が設けられていない部分の表面にらせん形状（４０）を形成する。このようなガイドワイヤでは、らせん形状（４０）を指で摘んだ状態で、トルカー５０を介してガイドワイヤ１を回転させると、ガイドワイヤ１が前進するような感覚（あるいは後退するような感覚）が得られる。従って、ガイドワイヤ１を回転させた時の指先の感覚と、コイル体２０が締まる回転方向とを対応付けることができる。その結果、術者は、指先の感覚に基づいて、どの方向にガイドワイヤ１を回転させれば大きなトルクが得られるのかを認識可能となる。【選択図】図１
2014233312.tif 000002
【特許請求の範囲】
【請求項１】
コアシャフトと、
前記コアシャフトの先端部を覆うコイル体と
を備え、
前記コアシャフトの前記コイル体が設けられていない部分の表面には、らせん形状が形成されているガイドワイヤ。
【請求項２】
請求項１に記載のガイドワイヤであって、
前記らせん形状は、前記コイル体の巻き方向とは反対の巻き方向に形成されているガイドワイヤ。
【請求項３】
請求項１または請求項２に記載のガイドワイヤであって、
前記コイル体は、複数本の素線からなる撚線を、複数本、らせん状に巻回することによって形成された中空の撚線コイルであり、
前記コアシャフトの前記コイル体が設けられていない部分の表面には、前記撚線コイルの表面形状が形成されている
ガイドワイヤ。
【発明の詳細な説明】
【技術分野】
【０００１】
本発明は、血管に挿入されるガイドワイヤに関する。
【背景技術】
【０００２】
血管にカテーテルを挿入する際に用いられるガイドワイヤが知られている。カテーテルを挿入する際には、先ずガイドワイヤを血管に挿入し、その後にガイドワイヤに沿ってカテーテルを進行させる。このように、ガイドワイヤはカテーテルを病変部に導くためのガイドとして機能する。
【０００３】
また、このようなガイドワイヤとしては、コアシャフトの先端部がコイル体で覆われたもの（いわゆるコイル式のガイドワイヤ）が知られている（例えば特許文献１）。コイル式のガイドワイヤでは、トルカーを介してコイル体の巻き方向と反対方向にガイドワイヤを回転させると、コイル体が締まることによって、大きなトルクが得られるようになっている。
【先行技術文献】
【特許文献】
【０００４】
【特許文献１】特開２００６−１２９９３５号公報
【発明の概要】
【発明が解決しようとする課題】
【０００５】
しかし、上述した従来のガイドワイヤでは、コイル体の巻き方向を術者が認識することができないので、どの方向にガイドワイヤを回転させれば大きなトルクが得られるのかが、術者には分からないという問題があった。
【０００６】
この発明は、従来の技術が有する上述した課題に対応してなされたものであり、どの方向にガイドワイヤを回転させれば大きなトルクが得られるのかを、術者が認識可能なコイル式のガイドワイヤを提供することを目的とする。
【課題を解決するための手段】
【０００７】
上述した課題を解決するために、本発明のガイドワイヤは次の構成を採用した。すなわち、本発明のガイドワイヤは、コアシャフトと、前記コアシャフトの先端部を覆うコイル体とを備え、前記コアシャフトの前記コイル体が設けられていない部分の表面には、らせん形状が形成されていることを特徴とする。
【０００８】
このような本発明のガイドワイヤにおいては、らせん形状が設けられた部分を指で摘んだ状態で、トルカーを介してある方向にガイドワイヤを回転させると、指先にガイドワイヤが前進するような感覚が得られ、また、逆の方向にガイドワイヤを回転させると、ガイドワイヤが後退するような感覚が得られる。従って、ガイドワイヤを回転させた時の指先の感覚（ガイドワイヤが前進、あるいは後退する感覚）と、コイル体が締まるガイドワイヤの回転方向とを、対応付けることができる。その結果、術者は、指先の感覚に基づいて、どの方向にガイドワイヤを回転させれば大きなトルクが得られるのかを認識することが可能となる。
【０００９】
また、本発明のガイドワイヤにおいては、らせん形状を、コイル体の巻き方向とは反対の巻き方向に形成することとしてもよい。
【００１０】
このような本発明のガイドワイヤでは、らせん形状を指で摘んだ状態で、トルカーを介してコイル体が締まる回転方向（大きなトルクが得られる回転方向）にガイドワイヤを回転させると、ガイドワイヤが前進するような感覚が指先に得られる。ガイドワイヤが後退する感覚に比べれば、ガイドワイヤが前進する感覚のほうが、大きなトルクが得られることを術者が想起しやすい。従って、どの方向にガイドワイヤを回転させれば大きなトルクが得られるのかを、術者がより認識し易くすることが可能となる。
【００１１】
また、上述した本発明のガイドワイヤにおいては、複数本の素線を撚り合わせた撚線を、複数本、らせん状に巻回することによって形成された中空の撚線コイルをコイル体として用いることとし、コアシャフトのコイル体が設けられていない部分の表面に、撚線コイルの表面形状を形成することとしてもよい。
【００１２】
このような本発明のガイドワイヤでは、どの方向にガイドワイヤを回転させれば大きなトルクが得られるのかを術者が認識可能となることに加え、コアシャフトの表面に形成された撚線コイルの表面形状を介して、ガイドワイヤのコイル体が撚線コイルであることを術者に認識させることができる。撚線コイルが用いられたガイドワイヤは、比較的トルクが効き易いという特性を有する。従って、術者は、現在自分が使用しているガイドワイヤがこうした特性を有していることを十分に認識しつつ、その特性を生かして手技を行うことが可能となる。
【図面の簡単な説明】
【００１３】
【図１】本発明の第１実施形態のガイドワイヤの構成を示した説明図である。
【図２】本発明の第２実施形態のガイドワイヤの構成を示した説明図である。
【図３】本発明の第３実施形態のガイドワイヤの構成を示した説明図である。
【図４】本発明の第４実施形態のガイドワイヤの構成を示した説明図である。（ａ）には、ガイドワイヤの全体図が示されており、（ｂ）には、（ａ）のＡＡ断面におけるガイドワイヤの横断面図が示されている。
【発明を実施するための形態】
【００１４】
Ａ．第１実施形態  ：
以下では、上述した本発明の内容を明確にするために、本発明のガイドワイヤの各種の実施形態を説明する。
図１は、本発明の第１実施形態のガイドワイヤ１の構成を示した説明図である。図示されているように、本実施形態のガイドワイヤ１は、コアシャフト１０と、コアシャフト１０の先端部を覆うように設けられたコイル体２０などから構成されている。また、コアシャフト１０の基端部には、術者がガイドワイヤ１を回転操作する際に用いるトルカー５０が取り付けられている。
【００１５】
コアシャフト１０とコイル体２０とは、コイル体２０の先端部および後端部において、接着剤（本実施形態では、ロウ材）で接合されている。図１では、先端側の接合部分が先端ロウ付け部３０として示されており、後端側の接合部分が後端ロウ付け部３２として示されている。
【００１６】
また、本実施形態のガイドワイヤ１では、コアシャフト１０の基端側の部分（コイル体２０が設けられていない部分）の表面に、らせん状の溝４０が形成されている。尚、本実施形態のらせん状の溝４０は、本発明の「らせん形状」に対応する。
【００１７】
このような本実施形態のガイドワイヤ１では、どの方向にガイドワイヤ１を回転させれば大きなトルクが得られるのかを、術者が認識することができるようになっている。これは以下のような理由による。
【００１８】
先ず、図１に示されているように、本実施形態のガイドワイヤ１のコイル体２０は、その巻き方向が、先端側に向かって時計回り方向となっている。従って、トルカー５０を介して、その反対方向（反時計周り方向）にガイドワイヤ１を回転させると、コイル体２０が締まることによって、大きなトルクが得られるようになっている。
【００１９】
ここで、本実施形態のガイドワイヤ１では、コアシャフト１０の表面に、先端側に向かって時計回り方向にらせん状の溝４０が設けられている。従って、らせん状の溝４０が設けられた部分を指で摘んだ状態で、トルカー５０を介してガイドワイヤ１を反時計回り方向（大きなトルクが得られる回転方向）に回転させると、ガイドワイヤ１が後退するような感覚を指先に感ずることとなる。こうした指先の感覚に基づいて、術者は、大きなトルクが得られるガイドワイヤ１の回転方向を認識することができる。その結果、例えば、ガイドワイヤ１の先端が病変部に引っ掛かった場合に、大きなトルクが得られる方向にガイドワイヤ１を回転させることで、ガイドワイヤ１を病変部から確実に開放することが可能となる。
【００２０】
尚、本実施形態のガイドワイヤ１では、どの方向にガイドワイヤ１を回転させれば大きなトルクが得られるのかを、以下のような方法によっても認識することができる。すなわち、らせん状の溝４０が設けられた部分を注視しながら、ガイドワイヤ１を大きなトルクが得られる方向（本実施形態では反時計周り方向）に回転させる。すると、らせん状の溝４０が所定の方向（本実施形態では、先端側の方向）に移動していくように見える。従って、ガイドワイヤ１を回転させた時のらせん状の溝４０の見え方（らせん状の溝４０がどの方向に移動していくように見えるか）に基づいて、大きなトルクが得られるガイドワイヤ１の回転方向を認識することも可能である。
【００２１】
上述した第１実施形態には、関連する他の実施形態が存在する。以下では、他の実施形態について簡単に説明する。尚、以下の説明では、第１実施形態のガイドワイヤ１と同じ構成については同じ番号を付すこととし、その詳細な説明を省略する。
【００２２】
Ｂ．第２実施形態  ：
図２は、第２実施形態のガイドワイヤ２の構成を示した説明図である。上述した第１実施形態のガイドワイヤ１では、コアシャフト１０の表面にらせん状の溝４０を設けるものと説明した。これに対して、第２実施形態のガイドワイヤ２では、金属や樹脂などの細い線をコアシャフト１２に対してらせん状に巻き付けることによって、らせん状の凸部４２が形成されている。尚、本実施形態のらせん状の凸部４２は、本発明の「らせん形状」に対応する。
【００２３】
このような本実施形態のガイドワイヤ２においても、上述した第１実施形態のガイドワイヤ１と同様に、らせん状の凸部４２が設けられた部分を指で摘んだ状態で、トルカー５０を介してガイドワイヤ２を回転させたときに得られる指先の感覚により、大きなトルクが得られるガイドワイヤ２の回転方向を術者に認識させることができる。
また、本実施形態のように、細い線をコアシャフト１２に巻き付けることによってらせん状の凸部４２を形成することで、コアシャフト１２に対してらせん形状を簡単に形成することが可能となる。
【００２４】
Ｃ．第３実施形態  ：
図３は、第３実施形態のガイドワイヤ３の構成を示した説明図である。上述した第１実施形態のガイドワイヤ１、および第２実施形態のガイドワイヤ２では、らせん形状（らせん状の溝４０，らせん状の凸部４２）がコイル体２０の巻き方向と同じ巻き方向に形成されているものとして説明した（図１，２を参照）。これに対して、図３に示されているように、第３実施形態のガイドワイヤ３では、コアシャフト１３の表面のらせん形状（本実施形態では、らせん状の溝４３）が、コイル体２０の巻き方向と反対の巻き方向に形成されている。
【００２５】
このような本実施形態のガイドワイヤ３では、上述した第１実施形態のガイドワイヤ１および第２実施形態のガイドワイヤ２と比較して、大きなトルクが得られるガイドワイヤの回転方向を、術者がより認識しやすいという利点がある。これは、以下のような理由による。
【００２６】
本実施形態のガイドワイヤ３は、らせん状の溝４３がコイル体２０の巻き方向と反対の巻き方向に形成されている。このため、らせん状の溝４３を指で摘んだ状態で、トルカー５０を介して、コイル体２０が締まる回転方向（本実施形態では、先端側に向かって反時計周り方向）にガイドワイヤを回転させると、ガイドワイヤが前進するような感覚が指先に感じられるようになっている。
ここで、ガイドワイヤ３が後退する感覚に比べれば、ガイドワイヤ３が前進する感覚のほうが、大きなトルクが得られることを術者が想起し易い。従って、どの方向にガイドワイヤ３を回転させれば大きなトルクが得られるのかを、術者がより認識し易くなるのである。
【００２７】
尚、本実施形態のガイドワイヤ３においても、上述した各種実施形態のガイドワイヤと同様に、ガイドワイヤ３を回転させた時のらせん形状の見え方（らせん状の溝４３がどの方向に移動していくように見えるか）に基づいて、大きなトルクが得られるガイドワイヤ３の回転方向を認識することができる。本実施形態の場合、らせん状の溝４３が設けられた部分を注視しながらガイドワイヤ３を回転させた際に、らせん状の溝４３が後端側に移動していくように見える方向が、大きなトルクが得られるガイドワイヤ３の回転方向となる。
【００２８】
Ｄ．第４実施形態  ：
図４は、第４実施形態のガイドワイヤ４の構成を示した説明図である。（ａ）には、ガイドワイヤ４の全体図が示されており、（ｂ）には、（ａ）のＡＡ断面におけるガイドワイヤ４の横断面図が示されている。
【００２９】
第４実施形態のガイドワイヤ４は、コアシャフト１４と、コアシャフト１４の先端部を覆うように設けられた撚線コイル体２４などから構成されている。ここで、本実施形態の撚線コイル体２４とは、複数の素線２５ａからなる撚線２５ｂを複数本（本実施形態では８本）用意し、更にこれらを撚り合わせることによって、中空のコイル状に形成したものである（図４（ａ），（ｂ）を参照）。
【００３０】
また、本実施形態のガイドワイヤ４のコアシャフト１４の基端側の部分（撚線コイル体２４が設けられていない部分）の表面には、撚線コイル体２４の表面形状４４が形成されている。ここで、撚線コイル体２４の表面形状４４とは、撚線コイル体２４を構成する撚線２５ｂのらせん形状と、撚線２５ｂ自身の表面に形成される細かな凹凸形状とが組み合わされた形状のことである（図４を参照）。尚、本実施形態では、コアシャフト１４に対して複数本の撚線２５ｂをらせん状に巻き付けることによって、コアシャフト１４の表面に撚線コイル体２４の表面形状４４を形成している。
【００３１】
このような第４実施形態のガイドワイヤ４においても、上述した各種実施形態のガイドワイヤと同様に、撚線コイル体２４の表面形状４４が設けられた部分を指で摘んだ状態で、トルカー５０を介してガイドワイヤ４を回転させた際に得られる指先の感覚により、大きなトルクが得られるガイドワイヤ４の回転方向を術者に認識させることができる。
【００３２】
また、本実施形態のガイドワイヤ４では、コアシャフト１４の表面に形成された撚線コイル体２４の表面形状４４を介して、ガイドワイヤ４のコイル体が撚線コイル体２４であることを術者に認識させることができる。その結果、術者は現在使用しているガイドワイヤ４の特性（撚線コイル体２４が用いられていることにより、比較的トルクが効き易いという特性）を十分に認識しつつ、その特性を生かして手技を行うことが可能となる。
【００３３】
以上、各種実施形態のガイドワイヤについて説明したが、本発明は上述の実施形態に限られるものではなく、その要旨を逸脱しない範囲において種々の態様で実施することが可能である。例えば、上述した各種の実施形態では、らせん形状は、コアシャフトの基端側の部分（コイル体が設けられていない部分）のほぼ全域に設けられているものとして説明した（図１〜図４を参照）。しかし、らせん形状は、コアシャフトの基端側のコイル体が設けられていない部分の、一部に設けられていてもよい（図示は省略）。もっとも、上述した各種の実施形態のように、コアシャフトの基端側の部分（コイル体が設けられていない部分）のほぼ全域にらせん形状が設けられていたほうが、術者がらせん形状をより認識し易いので、望ましい。
【符号の説明】
【００３４】
１，２，３，４・・・ガイドワイヤ
１０，１２，１３，１４・・・コアシャフト
２０，２４・・・コイル体
３０・・・先端ロウ付け部
３２・・・後端ロウ付け部
４０，４３・・・らせん状の溝
４２・・・らせん状の凸部
４４・・・撚線コイルの表面形状
５０・・・トルカー
【図１】
2014233312.tif 000003
【図２】
2014233312.tif 000004
【図３】
2014233312.tif 000005
【図４】
2014233312.tif 000006